(57)【要約】【課題】再生画像に関連する思い出等の記憶を蘇らせることができるようにする。【解決手段】画像Ａ−１〜画像Ｅ−５を順次再生するに際して、画像Ａ−１の撮影日時「２００７／０６／１８  １３：０８」から５時間以内に撮影された画像Ａ−２には撮影日時を付加表示せず、５時間以上経過して撮影された画像Ｂ−１には、その撮影日時「２００７／０６／１９  １１：０５」を付加表示する。画像Ｂ−１の撮影日時から５時間以内に撮影された画像Ｂ−２、Ｂ−３、Ｂ−４には撮影日時を付加表示せず、５時間以上経過して撮影された画像Ｃ−１には、その撮影日時「２００７／０６／２０  １４：０８」を付加表示する。画像Ｃ−１の撮影日時から５時間以内に撮影された画像Ｃ−２、Ｃ−３には撮影日時を付加表示せず、画像Ｃ−１の撮影日時から５時間以上経過して撮影された画像Ｄ−１には、その撮影日時「２００７／０６／２０  ２０：４８」を付加表示する。【選択図】図８
2012070435.tif 000002
【特許請求の範囲】
【請求項１】
撮影により取得された画像データと、当該画像データの撮影時における情報を示す撮影データとを対応して記憶した記憶手段と、
この記憶手段から前記画像データと、これに対応する撮影データとを読み出す読出手段と、
この読出手段により読み出された前記画像データに基づき、画像を表示手段に表示させる画像表示制御手段と、
前記読出手段により読み出された前記撮影データに基づき、撮影時における情報を前記画像とともに前記表示手段に表示させる情報表示制御手段と
を備えることを特徴とする画像再生制御装置。
【請求項２】
前記記憶手段に記憶された撮影データは、撮影日時を示す撮影日時データであり、
前記情報表示制御手段は、前記撮影日時データに基づき前記撮影日時を表示させることを特徴とする請求項１記載の画像再生制御装置。
【請求項３】
現在日時を計時する計時手段と、
この計時手段により計時された現在日時と前記撮影日時データが示す撮影日時とを比較して、前記撮影日時から一定時間以上経過しているか否かを判断する判断手段とを備え、
前記情報表示制御手段は、前記判断手段により一定時間以上経過していると判断された場合に、前記撮影日時を表示させることを特徴とする請求項２記載の画像再生制御装置。
【請求項４】
前記情報表示制御手段は、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段を備え、
前記判断手段により一定時間以上経過していると判断された場合に、前記次の画像データに基づく画像を表示させた際に、対応する撮影日時データに基づき撮影日を表示させることを特徴とする請求項２記載の画像再生制御装置。
【請求項５】
前記情報表示制御手段は、前記表示手段に画像と撮影日時とが表示されている状態において、前記撮影日時をフェードアウトさせるフェードアウト処理手段を備えることを特徴とする請求項２、３又は４記載の画像再生制御装置。
【請求項６】
前記記憶手段に記憶された撮影データは、撮影位置を示す撮影位置データであり、
位置データが示す位置に対応する場所の名称を記憶した情報記憶手段を備え、
前記情報表示制御手段は、前記撮影位置データに基づき、対応する場所の名称を前記情報記憶手段から読み出して表示させることを特徴とする請求項１記載の画像再生制御装置。
【請求項７】
前記情報表示制御手段は、
前記表示手段に表示させた前記場所の名称と、前記読出手段により読み出された次の画像データに対応する撮影位置データに基づき前記表示手段に表示させる次の場所の名称とが一致するか否かを判断する判断手段を備え、
この判断手段により前記両場所の名称が一致しないと判断された場合に、前記次の撮影位置データに基づき対応する場所の名称を前記表示手段に表示させることを特徴とする請求項６記載の画像表示制御装置。
【請求項８】
前記記憶手段に記憶された撮影データは、前記撮影位置データ及び撮影日時を示す撮影日時データであり、
前記情報表示制御手段は、
前記表示手段に表示させた前記場所の名称と、次に前記読出手段により読み出された次の画像データに対応する位置データに基づき前記表示手段に表示させる次の場所の名称とが一致するか否かを判断する判断手段を備え、
この判断手段により前記場所の名称が一致しないと判断された場合に、前記次の撮影位置データに基づき対応する場所の名称を前記表示手段に表示させる第１の手段と、
前記判断手段により前記場所の名称が一致すると判断された場合に、前記撮影日時データに基づき前記撮影日時を表示させる第２の手段と
を備えることを特徴とする請求項６記載の画像再生装置。
【請求項９】
被写体を撮影して画像データを生成する生成手段と、
前記被写体の撮影時における情報を示す撮影データを取得する取得手段と、
前記生成手段により生成された画像データと前記取得手段により取得された撮影データとを対応させて前記記憶手段に記憶させる記憶制御手段と
をさらに備えることを特徴とする請求項１からに８記載の画像再生制御装置。
【請求項１０】
前記取得手段は、撮影日時を示す撮影日時データ又は撮影位置を示す撮影位置データの少なくとも一方を前記撮影データとして取得することを特徴とする請求項９記載の画像再生制御装置。
【請求項１１】
撮影により取得された画像データと、当該画像データの撮影時における情報を示す撮影データとを対応して記憶した記憶手段を備える画像再生制御装置が有するコンピュータを、
前記記憶手段から前記画像データと、これに対応する撮影データとを読み出す読出手段と、
この読出手段により読み出された前記画像データに基づき、画像を表示手段に表示させる画像表示制御手段と、
前記読出手段により読み出された前記撮影データに基づき、撮影時における情報を前記画像とともに前記表示手段に表示させる情報表示制御手段と
して機能させることを特徴とする画像再生制御プログラム。
【請求項１２】
撮影により取得された画像データと、当該画像データの撮影時における情報を示す撮影データとを対応して記憶した記憶手段を備える画像再生装置の制御方法であって、
前記記憶手段から前記画像データと、これに対応する撮影データとを読み出す読出ステップと、
この読出ステップにより読み出された前記画像データに基づき、画像を表示手段に表示させる画像表示制御ステップと、
前記読出ステップにより読み出された前記撮影データに基づき、撮影時における情報を前記画像とともに前記表示手段に表示させる情報表示制御ステップと
を含むことを特徴とする画像再生制御方法。
【発明の詳細な説明】
【技術分野】
【０００１】
本発明は、予め記憶された画像データを順次読み出して再生表示する画像再生制御装置、画像再生制御プログラム及び画像再生制御方法に関する。
【背景技術】
【０００２】
従来、予め撮影して記憶した複数の画像データを順次読み出して再生する、所謂スライド再生機能を備えた画像表示装置が知られている。この画像表示装置は、撮像装置で撮影されて生成された複数の画像データを撮影日時情報とともに保存する記録手段を備えている。この記録手段から、画像データを順次読み出して再生画像を表示するとともに、撮影日時情報を読み出して、再生画像のそれぞれの表示時間を、次に再生される再生画像の撮影日時との間隔に応じて変化させるものである（例えば、特許文献１参照。）。
【先行技術文献】
【特許文献】
【０００３】
【特許文献１】特開２００７−１６５９５９号公報
【発明の概要】
【発明が解決しようとする課題】
【０００４】
ところで、撮影日時から長期間経過した後、撮影した画像を再生して観賞することは、一般によく行われる撮影画像の観賞形態である。このような観賞形態において、前述した従来技術のように、次に再生される再生画像の撮影日時との間隔に応じて、再生画像のそれぞれの表示時間を変化させても、再生画像に関連する思い出等の記憶を蘇らせることに効果はない。
このため、前記観賞形態において、再生画像に関連する思い出等の記憶を蘇らせることのできる技術の出現が期待されるものであった。
【０００５】
本発明は、かかる従来の課題に鑑みてなされたものであり、撮影日時から長期間経過した後、撮影した画像を再生して観賞する観賞形態において、再生画像に関連する思い出等の記憶を蘇らせることのできる画像再生制御装置、画像再生制御プログラム及び画像再生制御方法提供することを目的とする。
【課題を解決するための手段】
【０００６】
前記課題を解決するために請求項１記載の発明に係る画像再生制御装置にあっては、撮影により取得された画像データと、当該画像データの撮影時における情報を示す撮影データとを対応して記憶した記憶手段と、この記憶手段から前記画像データと、これに対応する撮影データとを読み出す読出手段と、この読出手段により読み出された前記画像データに基づき、画像を表示手段に表示させる画像表示制御手段と、前記読出手段により読み出された前記撮影データに基づき、撮影時における情報を前記画像とともに前記表示手段に表示させる情報表示制御手段とを備えることを特徴とする。
【０００７】
また、請求項２記載の発明に係る画像再生制御装置にあっては、前記記憶手段に記憶された撮影データは、撮影日時を示す撮影日時データであり、前記情報表示制御手段は、前記撮影日時データに基づき前記撮影日時を表示させることを特徴とする。
【０００８】
また、請求項３記載の発明に係る画像再生制御装置にあっては、現在日時を計時する計時手段と、この計時手段により計時された現在日時と前記撮影日時データが示す撮影日時とを比較して、前記撮影日時から一定時間以上経過しているか否かを判断する判断手段とを備え、前記情報表示制御手段は、前記判断手段により一定時間以上経過していると判断された場合に、前記撮影日時を表示させることを特徴とする。
【０００９】
また、請求項４記載の発明に係る画像再生制御装置にあっては、前記情報表示制御手段は、前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段を備え、前記判断手段により一定時間以上経過していると判断された場合に、前記次の画像データに基づく画像を表示させた際に、対応する撮影日時データに基づき撮影日を表示させることを特徴とする。
【００１０】
また、請求項５記載の発明に係る画像再生制御装置にあっては、前記情報表示制御手段は、前記表示手段に画像と撮影日時とが表示されている状態において、前記撮影日時をフェードアウトさせるフェードアウト処理手段を備えることを特徴とする。
【００１１】
また、請求項６記載の発明に係る画像再生制御装置にあっては、前記記憶手段に記憶された撮影データは、撮影位置を示す撮影位置データであり、位置データが示す位置に対応する場所の名称を記憶した情報記憶手段を備え、前記情報表示制御手段は、前記撮影位置データに基づき、対応する場所の名称を前記情報記憶手段から読み出して表示させることを特徴とする。
【００１２】
また、請求項７記載の発明に係る画像表示制御装置にあっては、前記情報表示制御手段は、前記表示手段に表示させた前記場所の名称と、前記読出手段により読み出された次の画像データに対応する撮影位置データに基づき前記表示手段に表示させる次の場所の名称とが一致するか否かを判断する判断手段を備え、この判断手段により前記両場所の名称が一致しないと判断された場合に、前記次の撮影位置データに基づき対応する場所の名称を前記表示手段に表示させることを特徴とする。
【００１３】
また、請求項８記載の発明に係る画像再生装置にあっては、前記記憶手段に記憶された撮影データは、前記撮影位置データ及び撮影日時を示す撮影日時データであり、前記情報表示制御手段は、前記表示手段に表示させた前記場所の名称と、次に前記読出手段により読み出された次の画像データに対応する位置データに基づき前記表示手段に表示させる次の場所の名称とが一致するか否かを判断する判断手段を備え、この判断手段により前記場所の名称が一致しないと判断された場合に、前記次の撮影位置データに基づき対応する場所の名称を前記表示手段に表示させる第１の手段と、前記判断手段により前記場所の名称が一致すると判断された場合に、前記撮影日時データに基づき前記撮影日時を表示させる第２の手段とを備えることを特徴とする。
【００１４】
また、請求項９記載の発明に係る画像再生制御装置にあっては、被写体を撮影して画像データを生成する生成手段と、前記被写体の撮影時における情報を示す撮影データを取得する取得手段と、前記生成手段により生成された画像データと前記取得手段により取得された撮影データとを対応させて前記記憶手段に記憶させる記憶制御手段とをさらに備えることを特徴とする。
【００１５】
また、請求項１０記載の発明に係る画像再生制御装置にあっては、前記取得手段は、撮影日時を示す撮影日時データ又は撮影位置を示す撮影位置データの少なくとも一方を前記撮影データとして取得することを特徴とする。
【００１６】
また、請求項１１記載の発明に係る画像再生制御プログラムにあっては、撮影により取得された画像データと、当該画像データの撮影時における情報を示す撮影データとを対応して記憶した記憶手段を備える画像再生制御装置が有するコンピュータを、前記記憶手段から前記画像データと、これに対応する撮影データとを読み出す読出手段と、この読出手段により読み出された前記画像データに基づき、画像を表示手段に表示させる画像表示制御手段と、前記読出手段により読み出された前記撮影データに基づき、撮影時における情報を前記画像とともに前記表示手段に表示させる情報表示制御手段として機能させることを特徴とする。
【００１７】
また、請求項１２記載の発明に係る画像再生制御方法にあっては、撮影により取得された画像データと、当該画像データの撮影時における情報を示す撮影データとを対応して記憶した記憶手段を備える画像再生装置の制御方法であって、前記記憶手段から前記画像データと、これに対応する撮影データとを読み出す読出ステップと、この読出ステップにより読み出された前記画像データに基づき、画像を表示手段に表示させる画像表示制御ステップと、前記読出ステップにより読み出された前記撮影データに基づき、撮影時における情報を前記画像とともに前記表示手段に表示させる情報表示制御ステップとを含むことを特徴とする。
【発明の効果】
【００１８】
本発明によれば、撮影日時から長期間経過した後、撮影した画像を再生して観賞する観賞形態において、再生画像に関連する思い出等の記憶を蘇らせることができる。
【図面の簡単な説明】
【００１９】
【図１】本発明の一実施の形態係るデジタルカメラの回路構成を示すブロック図である。
【図２】同実施の形態の撮影モードにおける処理手順を示すフローチャートである。
【図３】画像記憶媒体の記録状態を示す模式図である。
【図４】同実施の形態のスライド再生モードにおける処理手順を示すフローチャートである。
【図５】同実施の形態の表示遷移図である。
【図６】本発明の第２実施の形態の撮影モードにおける処理手順を示すフローチャートである。
【図７】本発明の第３実施の形態の撮影モードにおける処理手順を示すフローチャートである。
【図８】同実施の形態の表示遷移図である。
【図９】本発明の第３実施の形態の撮影モードにおける処理手順を示すフローチャートである。
【図１０】同実施の形態の表示遷移図である。
【発明を実施するための形態】
【００２０】
以下、本発明の一実施の形態を図に従って説明する。
（第１の実施の形態）
図１は、本発明の一実施の形態に係るデジタルカメラ１の回路構成を示すブロック図である。このデジタルカメラ１は、本体の前面に配置された光学レンズ２、この光学レンズ２により結像されるＣＣＤ等の撮像素子３と、撮像素子３を駆動するためのＴＧ４と、撮像素子３から出力された撮像信号を保持するＣＤＳ、その撮像信号を増幅するゲイン調整アンプ（ＡＧＣ）、増幅後の撮像信号をデジタル信号に変換するＡ／Ｄ変換器（ＡＤ）からなるユニット回路５を有している。そして、被写体の像が光学レンズ２を介して撮像素子３上に結像され、撮像素子３は信号を出力する。この撮像素子３から出力された信号は、ユニット回路５にて、サンプリング、増幅、デジタル化され、画像処理回路／ＣＰＵ６に送られて、この画像処理回路／ＣＰＵ６内で輝度に変換され、輝度の積分やヒストグラム処理が行われる。
【００２１】
前記光学レンズ２は、ＡＦモータ等を備えるレンズ駆動回路７に保持されており、レンズ駆動回路７が画像処理回路／ＣＰＵ６の制御により駆動されることにより光軸方向に移動し、撮像素子３に結像される被写体像のフォーカスを調整する。また、ＡＥ制御時には、撮像素子３が、画像処理回路／ＣＰＵ６から送られるシャッターパルスに基づきＴＧ４によって駆動され、その電荷蓄積時間を制御される。これにより電子シャッターが実現される。
【００２２】
画像処理回路／ＣＰＵ６は各部を制御するものであって、各種の信号処理、及び画像処理機能を備えたものであり、ユニット回路５を経てデジタル信号に変換された撮像信号からビデオ信号を生成し、撮像素子３によって撮像した被写体像をスルー画像としてＴＦＴ液晶モニター等からなる液晶表示部８に表示させる。また、撮像時には、撮像信号を圧縮してＪＰＥＧフォーマットの画像ファイルを生成し、それをフラッシュメモリ等からなる画像記憶媒体９に記憶させ、再生時には圧縮した画像ファイルを伸張して液晶表示部８に表示させる。なお、画像処理回路／ＣＰＵ６は、現在日時を計時する時計部１０を備えており、画像記憶媒体９は着脱自在である。
【００２３】
さらに、画像処理回路／ＣＰＵ６には、十字カーソルキー、シャッターキー、メニューキー等からなる操作キー部１１、メモリー１２、ＧＰＳ（Global Positioning System）モジュール１３、地図データ記憶部１４、及びＲＡＭ１５が接続されている。メモリー１２は、画像処理回路／ＣＰＵ６による各部の制御及び各種データ処理に必要な動作プログラムが記録されたプログラムＲＯＭであり、後述するフローチャートに示す処理を実行するためのプログラム等が記憶されている。
【００２４】
ＧＰＳモジュール１３は、測地衛星からのＬ１帯のＣ／Ａコードを受信して復調・解読し現在位置の緯度・経度を割り出すものであり、ＧＰＳモジュール１３により割り出された緯度・経度の情報は画像処理回路／ＣＰＵ６に取り込まれる。地図データ記憶部１４には、「トロイ」、「イスタンブール」、「東京」、「渋谷」、「伊勢佐木町」等の都市名や町名等の場所を示す文字データからなる場所データと、当該場所を示す緯度・経度の範囲データとが対応して記憶されている。ＲＡＭ１５は、各種データを一時的に格納したり、画像処理回路／ＣＰＵ６のワーク用として使用される。
【００２５】
次に、以上の構成にかかるデジタルカメラ１の動作を説明する。図２は、撮影モードにおける処理手順を示すフローチャートである。撮影モードが設定されると画像処理回路／ＣＰＵ６は前記プログラムに従って、このフローチャートに示す処理を実行する。
【００２６】
すなわち、撮像素子３によって撮像された被写体像をスルー画像として液晶表示部８に表示させる（ステップＳ１０１）。次に、シャッターキーが操作されたか否かを判断する（ステップＳ１０２）。シャッターキーが操作されたならば、撮像素子３からの画像データを取得する（ステップＳ１０３）。また、時計部１０により計時されている現在日時を撮影日時データとして取得し（ステップＳ１０４）、さらにＧＰＳモジュール１３により割り出された緯度・経度を撮影位置データとして取得する（ステップＳ１０５）。
【００２７】
そして、ステップＳ１０３で取得した画像データに、ステップＳ１０４で取得した撮影日時データと、ステップＳ１０５で取得した撮影位置データからなる撮影データを対応させて画像記憶媒体９に記憶する（ステップＳ１０６）。
【００２８】
引き続き、撮影モードから他のモードへのモード変更がなされたか否かを判断し、モード変更がなされるまで、ステップＳ１０１〜Ｓ１０７のループを繰り返す。したがって、画像記憶媒体９には、図３に示すように、シャッターキーが操作された時点で撮影された複数の画像データＡ、Ｂ、Ｃ・・・に各々対応して、撮影データにおける撮影日時として撮影日時を示す年、月、日、時、分が記憶されるとともに、撮影位置として緯度、経度が記憶される。
【００２９】
よって、本実施の形態によれば、後述するスライド再生モードにおいて必要となる撮影日時や撮影位置の情報を撮影時において画像データとともに記憶することができる。
【００３０】
図４は、再生モードにおけるスライド再生モードの処理手順を示すフローチャートである。前記画像記憶媒体９に記憶されている画像データと、当該画像データに対応して記憶されている撮影データとを読み出す（ステップＳ２０１）。次に、この読み出した撮影データに含まれている撮影日時と時計部１０により計時されている現在日時とを比較することにより、現時点が撮影日時より一定時間以上経過しているか否かを判断する（ステップＳ２０２）。
【００３１】
ここで一定時間とは、例えば５年、１０年等の比較的長い期間であってもよいし、３日、１０日等の比較的短い期間や、数時間であってもよい。また、この一定時間をユーザが任意に設定できるようにしてもよい。
【００３２】
そして、ステップＳ２０２での判断の結果、一定時間以上経過している場合には、前記ステップＳ２０１で読み込んだ画像データに基づく画像を表示するとともに（ステップＳ２０３）、画像の一部に、前記撮影日時データに基づき、撮影日時を表示する（ステップＳ２０４）。したがって、撮影日時から一定時間以上経過した画像をスライド再生した際には、図５（Ａ−１）に示すように、液晶表示部８には前記画像データに基づく再生画像８１とともに、その一部に撮影日時８２が表示される。
【００３３】
よって、ユーザがこの撮影日時８２を視認することにより、再生画像８１に関連する思い出等の記憶を蘇らせることができ、再生時の興趣性を向上させることができる。
【００３４】
一方、ステップＳ２０２での判断の結果、撮影日時から一定時間以上経過していない場合には、前記画像データに基づく画像のみを表示させる（ステップＳ２０５）。したがって、撮影日時から一定時間以上経過していない比較的新しい画像をスライド再生した際には、図５（Ｂ−１）に示すように、液晶表示部８には前記画像データに基づく再生画像８１のみが表示される。
【００３５】
よって、撮影日時から一定時間以上経過していない比較的新しい画像であって、ユーザ記憶も鮮明な画像に対し、無用となる撮影日時が付加されることがなく、無用な撮影日時の付加による再生画像８１への影響を未然に防止することができる。
【００３６】
次に、前記ステップＳ１０１で読み込んだ撮影データに含まれている撮影位置データ（撮影時の緯度・経度）に基づき、地図データ記憶部１４から地名等を検索して取得する（ステップＳ２０６）。つまり、前述のように、地図データ記憶部１４には、「トロイ」、「イスタンブール」、「東京」、「渋谷」、「伊勢佐木町」等の都市名や町名等の場所を示す文字データからなる場所データと、当該場所を示す緯度・経度の範囲データとが対応して記憶されている。したがって、前記撮影データに含まれている撮影位置データ（撮影時の緯度・経度）に対応する都市名や町名等の場所を地図データ記憶部１４にて検索することにより取得する。そして、この取得した場所データ（文字データ）に基づき、画像の一部に、撮影場所を示す地名等を表示する（ステップＳ２０７）。
【００３７】
したがって、このステップＳ２０７での処理により、図５（Ａ−２）（Ｂ−２）に示すように、液晶表示部８には前記画像データに基づく再生画像８１の一部に「イスタンブール」等の撮影場所８３が表示される。
【００３８】
よって、ユーザがこの撮影場所８３を視認することにより、再生画像８１に関連する思い出等の記憶を蘇らせることができ、再生時の興趣性を向上させることができる。
【００３９】
引き続き、液晶表示部８に撮影日時が表示されているか否かを判断する（ステップＳ２０８）。このとき、図５（Ａ−２）に示したように、撮影日時８２が表示されていると、ステップＳ２０８の判断はＹＥＳとなる。したがって、ステップＳ２０８からステップＳ２０９に進み、撮影日時をフェードアウトする。これにより、図５（Ａ−２）に示した撮影日時８２の文字が徐々に薄くなっていき、（Ａ−２）の表示状態から（Ｂ−２）の表示状態へと経時的に移行する。
【００４０】
よって、このようにフェードアウトにより撮影日時８２を経時的に消去することにより、スライド再生時における演出効果を高めることができ、再生時の興趣性を向上させることができる。
【００４１】
次に、全ての画像の再生が終了し、あるいはスライド再生から他のモードへの移行指示がある等による終了指示があったか否かを判断し（ステップＳ２１０）、終了指示があるまでステップＳ２０１からの処理を繰り返す。したがって、ステップＳ２０１からの処理が繰り返し実行されることにより、画像記憶媒体９に記憶されている画像データが順次読み出されて再生されるスライド再生が行われることとなる。
【００４２】
なお、本実施の形態においては、撮影日時８２のみをフェードアウトさせるようにしたが、撮影場所８３もフェードアウトさせるようにしてもよい。これにより、一旦再生画像８１とともに撮影日時８２と撮影場所８３とを表示させた後、再生画像８１のみの表示状態に移行することができる。
【００４３】
（第２の実施の形態）
図６は、本発明の第２実施の形態におけるスライド再生モードの処理手順を示すフローチャートである。前記画像記憶媒体９に記憶されている画像データと、当該画像データに対応して記憶されている撮影データとを読み出す（ステップＳ３０１）。次に、既に再生画像を表示中か否かを判断する（ステップＳ３０２）。このとき、スライド再生モード開始直後であって、未だ再生画像が液晶表示部８に表示されていない場合には、ステップＳ３０２の判断はＮＯとなる。
【００４４】
したがって、ステップＳ３０２からステップＳ３０３に進み、前記ステップＳ３０１で読み出した撮影データに含まれている撮影日時と時計部１０により計時されている現在日時とを比較することにより、現時点が撮影日時より一定時間以上経過しているか否かを判断する。このステップＳ３０３での判断の結果、一定時間以上経過している場合には、前記ステップＳ３０１で読み込んだ画像データに基づく画像を表示するとともに（ステップＳ３０４）、画像の一部に、前記撮影日時データに基づき、撮影日時を表示する（ステップＳ３０５）。したがって、撮影日時から一定時間以上経過した画像をスライド再生した際には、図５（Ａ−１）に示すように、液晶表示部８には前記画像データに基づく再生画像８１とともに、その一部に撮影日時８２が表示される。
【００４５】
一方、ステップＳ３０３での判断の結果、撮影日時から一定時間以上経過していない場合には、前記画像データに基づく画像のみを表示させる（ステップＳ３０６）。したがって、撮影日時から一定時間以上経過していない比較的新しい画像をスライド再生した際には、図５（Ｂ−１）に示すように、液晶表示部８には前記画像データに基づく再生画像８１のみが表示される。
【００４６】
次に、前記ステップＳ１０１で読み込んだ撮影データに含まれている撮影位置データ（撮影時の緯度・経度）に基づき、地図データ記憶部１４から地名等を検索して取得する（ステップＳ３０７）。そして、この取得した場所データ（文字データ）に基づき、再生画像の一部に、撮影場所を示す地名等を表示する（ステップＳ３０８）。したがって、このステップＳ３０７での処理により、図５（Ａ−２）（Ｂ−２）に示すように、液晶表示部８には前記画像データに基づく再生画像８１の一部に「イスタンブール」等の撮影場所８３が表示される。
【００４７】
次に、全ての画像の再生が終了し、あるいはスライド再生から他のモードへの移行指示がある等による終了指示があったか否かを判断する（ステップＳ３０９）。終了指示がない場合には、ステップＳ３０１に戻って、画像記憶媒体９に記憶されている次の画像データと、当該次の画像データに対応して記憶されている撮影データとを読み出す（ステップＳ３０１）。また、前述のように、既に再生画像を表示中か否かを判断する（ステップＳ３０２）。このとき、前記ステップＳ３０４での処理により既に再生画像が液晶表示部８に表示されているので、ステップＳ３０２の判断はＹＥＳとなる。
【００４８】
したがって、ステップＳ３０２からステップＳ３１０に進み、画像切り替え表示を行う。つまり、現在表示されている再生画像８１に代えて、今回ステップＳ３０１で読み込んだ画像データに基づく画像を表示する。
【００４９】
次に、前記ステップＳ１０１で読み込んだ撮影データに含まれている撮影位置データ（撮影時の緯度・経度）に基づき、地図データ記憶部１４から地名等を検索して取得する（ステップＳ３１１）。そして、この取得した地名等と、前記ステップＳ３０８で再生画像の一部に表示されている撮影場所を示す地名等が一致するか否かにより、前回の再生画像と今回の再生画像とで撮影場所の変化があったか否かを判断する（ステップＳ３１２）。
【００５０】
このステップＳ３１２での判断により、この取得した地名等と前記ステップＳ３０８で再生画像の一部に表示されている撮影場所を示す地名等が一致せず、前回の再生画像と今回の再生画像とで撮影場所の変化があった場合には、前述したステップＳ３０８に進み、再生画像の一部に、ステップＳ３１１で取得した当該再生撮影場所を示す地名等を表示する（ステップＳ３０８）。したがって、前回の再生画像の撮影場所が「イスタンブール」であって、今回の再生画像の撮影場所が「トロイ」である場合のように、撮影場所の変化があった場合には、撮影日時より一定時間以上経過していなくても撮影場所「トロイ」が表示される。
【００５１】
よって、このように撮影場所の変化があった場合には、撮影日時より一定時間以上経過していなくても、撮影場所が表示されることにより、ユーザはスライド再生される前後の再生画像における、撮影場所の相違を明瞭に把握することができる。
【００５２】
他方、ステップＳ３１２での判断の結果、撮影場所に変化がない場合には、画像の一部に、前記撮影日時データに基づき、撮影日時を表示する（ステップＳ３１３）。したがって、撮影場所に変化がなく同一場所で撮影された画像が連続して再生された場合には、撮影日時のみの表示となる。
【００５３】
よって、ユーザは撮影日時のみの表示により、連続的に再生された画像が同一の場所で撮影されたと理解することができるとともに、撮影日時８２を視認することにより、理解した同一の撮影場所における、再生画像８１に関連する思い出等の記憶を蘇らせることができ、再生時の興趣性を向上させることができる。
【００５４】
なお、この実施の形態においては、撮影日時８２をフェードアウトさせることなく表示させ続けるようにしたが、前述した実施の形態と同様にフェードアウトさせるようにしてもよい。
【００５５】
（第３の実施の形態）
図７は、本発明の第３実施の形態におけるスライド再生モードの処理手順を示すフローチャートである。前記画像記憶媒体９に記憶されている画像データと、当該画像データに対応して記憶されている撮影データとを読み出す（ステップＳ４０１）。次に、既に再生画像を表示中か否かを判断する（ステップＳ４０２）。このとき、スライド再生モード開始直後であって、未だ再生画像が液晶表示部８に表示されていない場合には、ステップＳ４０２の判断はＮＯとなる。
【００５６】
したがって、ステップＳ４０２からステップＳ４０８に進み、前記ステップＳ４０１で読み出した画像データに基づく画像を液晶表示部８に表示させる。また、画像の一部に、前記撮影日時データに基づき、撮影日時を表示する（ステップＳ４０９）。したがって、再生開始直後においては、図８（ａ）に示すように、液晶表示部８に表示されている画像Ａ−１の一部に、「２００７／０６／１８  １３：０８」からなる撮影日時８２が表示される。
【００５７】
次に、この表示した撮影日時をＲＡＭ１５に記憶する（ステップＳ４１０）。したがって、本例においては表示した撮影日時「２００７／０６／１８  １３：０８」がＲＡＭ１５に記憶されることとなる。
【００５８】
引き続き、全ての画像の再生が終了し、あるいはスライド再生から他のモードへの移行指示がある等による終了指示があったか否かを判断する（ステップＳ４１１）。終了指示がない場合には、ステップＳ４０１に戻って、画像記憶媒体９に記憶されている次の画像データと、当該次の画像データに対応して記憶されている撮影データとを読み出す（ステップＳ４０１）。また、前述のように、既に再生画像を表示中か否かを判断する（ステップＳ４０２）。このとき、図８（ａ）の状態にあると再生画像Ａ−１が表示されていることから、ステップＳ４０２の判断はＹＥＳとなる。
【００５９】
したがって、ステップＳ４０２からステップＳ４０３に進み、撮影日時も表示中であるか否かを判断する。このとき、図８（ａ）の状態にあると再生画像Ａ−１とともに、撮影日時８２が表示されていることから、ステップＳ４０３の判断はＹＥＳとなる。したがって、ステップＳ４０３からステップＳ４０４に進み、撮影日時８２を消去する。この撮影日時８２の消去に際しては、前述した実施の形態と同様にフェードアウトさせるようにしてもよい。
【００６０】
次に、画像切り替え表示を行う（ステップＳ４０５）。つまり、現在表示されている再生画像に代えて、今回ステップＳ４０１で読み込んだ画像データに基づく画像を表示する。これにより、図８（ａ）→（ｂ）に示すように、画像Ａ−１から画像Ａ−２に切り替わる。
【００６１】
また、前記ステップＳ１０１で読み込んだ撮影データに含まれている撮影日時データを取得する（ステップＳ４０６）。そして、このステップＳ４０６で取得した今回の表示画像の撮影日時データと、前記ステップＳ４１０で記憶した既に表示した撮影日時データとを比較することにより、今回の表示画像の撮影日時が、既に表示した撮影日時から一定時間以上経過したか否かを判断する（ステップＳ４０７）。
【００６２】
この一定時間は、ユーザが任意に設定することができ、本例においては５時間である。したがって、図８において（ｂ）の画像Ａ−２が（ａ）の画像Ａ−１の撮影日時「２００７／０６／１８  １３：０８」から５時間以内に撮影されたものであれば、ステップＳ４０７の判断はＮＯとなる。よって、ステップＳ４０９及びステップＳ４１０の処理を行うことなく、ステップＳ４１１に進む。よって、この場合には、図８（ｂ）に示すように、撮影日時は表示されることなく、画像Ａ−２のみの表示となる。
【００６３】
しかし、例えばステップＳ４０５で切り替え表示した画像の撮影日時データが例えば「２００７／０６／１９  １１：０５」であったとすると、今回の表示画像の撮影日時が、既に表示した撮影日時から一定時間以上経過したことになる。したがって、ステップＳ４０７からステップＳ４０９に進み、画像の一部に、前記撮影日時データに基づき、撮影日時を表示する。したがって、図８（ｃ）に示すように、液晶表示部８に表示されている画像Ｂ−１の一部に、「２００７／０６／１９  １１：０５」からなる撮影日時８２が表示されることとなる。また、ステップＳ４１０での処理により、撮影日時「２００７／０６／１９  １１：０５」がＲＡＭ１５に記憶されることとなる。
【００６４】
そして、再度ステップＳ４０１からの処理が繰り返された際、ステップＳ４０５で切り替え表示された画像の撮影日時が、ステップＳ４１０でＲＡＭ１５に記憶された撮影日時「２００７／０６／１９  １１：０５」から５時間未満であれば、ステップＳ４０７の判断はＮＯとなる。したがって、ステップＳ４０９及びステップＳ４１０の処理は実行されず、撮影日時は表示されない。
【００６５】
つまり、図８に示すように、画像Ａ−１の撮影日時「２００７／０６／１８  １３：０８」から５時間以内に撮影されたものである画像Ａ−２には撮影日時が付加表示されず、画像Ａ−１の撮影日時「２００７／０６／１８  １３：０８」から５時間以上経過して撮影されたものである画像Ｂ−１には、その撮影日時「２００７／０６／１９  １１：０５」が付加表示される。
【００６６】
また、画像Ｂ−１の撮影日時「２００７／０６／１９  １１：０５」から５時間以内に撮影されたものである画像Ｂ−２、Ｂ−３、Ｂ−４には撮影日時が付加表示されず、画像Ｂ−１の撮影日時「２００７／０６／１９  １１：０５」から５時間以上経過して撮影されたものである画像Ｃ−１には、その撮影日時「２００７／０６／２０  １４：０８」が付加表示される。
【００６７】
また、画像Ｃ−１の撮影日時「２００７／０６／２０  １４：０８」から５時間以内に撮影されたものである画像Ｃ−２、Ｃ−３には撮影日時が付加表示されず、画像Ｃ−１の撮影日時「２００７／０６／２０  １４：０８」から５時間以上経過して撮影されたものである画像Ｄ−１には、その撮影日時「２００７／０６／２０  ２０：４８」が付加表示される。
【００６８】
また、画像Ｄ−１の撮影日時「２００７／０６／２０  ２０：４８」から５時間以内に撮影されたものである画像Ｄ−２、Ｄ−３には撮影日時が付加表示されず、画像Ｄ−１の撮影日時「２００７／０６／２０  ２０：４８」から５時間以上経過して撮影されたものである画像Ｅ−１には、その撮影日時「２００７／０６／２１  ０９：３４」が付加表示される。そして、画像Ｅ−１の撮影日時「２００７／０６／２１  ０９：３４」から５時間以内に撮影されたものである画像Ｅ−２、Ｄ−３、Ｄ−４、Ｄ−５には撮影日時が付加表示されずに画像のみが表示される。
【００６９】
したがって、本実施の形態によれば、時間的に近接した時点で撮影された画像に無用な撮影日時が付加表示されて画像観賞の妨げになる不都合を防止しつつ、撮影日時から長期間経過した後、撮影した画像を再生して観賞する観賞形態において、表示された撮影日時に基づき再生画像に関連する思い出等の記憶を蘇らせることができる。
【００７０】
（第４の実施の形態）
図９は、本発明の第４実施の形態におけるスライド再生モードの処理手順を示すフローチャートである。前記画像記憶媒体９に記憶されている画像データと、当該画像データに対応して記憶されている撮影データとを読み出す（ステップＳ５０１）。次に、既に再生画像を表示中か否かを判断する（ステップＳ５０２）。このとき、スライド再生モード開始直後であって、未だ再生画像が液晶表示部８に表示されていない場合には、ステップＳ５０２の判断はＮＯとなる。
【００７１】
したがって、ステップＳ５０２からステップＳ５０８に進み、前記ステップＳ５０１で読み出した画像データに基づく画像を液晶表示部８に表示させる。また、前記ステップＳ５０１で読み込んだ撮影データに含まれている撮影位置データ（撮影時の緯度・経度）に基づき、地図データ記憶部１４から地名等を検索して取得する（ステップＳ５０９）。そして、この取得した場所データ（文字データ）に基づき、再生画像の一部に、撮影場所を示す地名等を表示するとともに、前記撮影データに含まれている撮影日時データに基づき、撮影日時を表示する（ステップＳ５１０）。したがって、再生開始直後においては、図１０（ａ）に示すように、液晶表示部８に表示されている画像Ａ−１の一部に、「トロイ」からなる撮影場所８３と、「２００７／０６／１８  １３：０８」からなる撮影日時８２とが表示される。
【００７２】
次に、この表示した撮影場所をＲＡＭ１５に記憶する（ステップＳ５１１）。したがって、本例においては表示した撮影場所「トロイ」がＲＡＭ１５に記憶されることとなる。
【００７３】
引き続き、全ての画像の再生が終了し、あるいはスライド再生から他のモードへの移行指示がある等による終了指示があったか否かを判断する（ステップＳ５１２）。終了指示がない場合には、ステップＳ５０１に戻って、画像記憶媒体９に記憶されている次の画像データと、当該次の画像データに対応して記憶されている撮影データとを読み出す（ステップＳ５０１）。また、前述のように、既に再生画像を表示中か否かを判断する（ステップＳ５０２）。このとき、図１０（ａ）の状態にあると再生画像Ａ−１が表示されていることから、ステップＳ５０２の判断はＹＥＳとなる。
【００７４】
したがって、ステップＳ５０２からステップＳ５０３に進み、撮影場所等も表示中であるか否かを判断する。このとき、図１０（ａ）の状態にあると再生画像Ａ−１とともに、撮影場所８３と撮影日時８２とが表示されていることから、ステップＳ５０３の判断はＹＥＳとなる。したがって、ステップＳ５０３からステップＳ５０４に進み、撮影場所８３と撮影日時８２とを消去する。この消去に際しては、前述した実施の形態と同様にフェードアウトさせるようにしてもよい。
【００７５】
次に、画像切り替え表示を行う（ステップＳ５０５）。つまり、現在表示されている再生画像に代えて、今回ステップＳ５０１で読み込んだ画像データに基づく画像を表示する。これにより、図１０（ａ）→（ｂ）に示すように、画像Ａ−１から画像Ａ−２に切り替わる。
【００７６】
また、前記ステップＳ１０１で読み込んだ撮影データに含まれている撮影位置データ（撮影時の緯度・経度）に基づき、地図データ記憶部１４から地名等を検索して取得する（ステップＳ５０６）。そして、このステップＳ５０６で取得した今回の表示画像の撮影場所と、前記ステップＳ５１１で記憶した既に表示した撮影場所とを比較することにより、撮影場所が変化したか否かを判断する（ステップＳ５０７）。
【００７７】
したがって、図１０において（ｂ）の画像Ａ−２が（ａ）の画像Ａ−１の撮影場所「トロイ」と同一場所で撮影されたものであれば、撮影場所に変化はないことから、ステップＳ５０７の判断はＮＯとなる。よって、ステップＳ５１０及びステップＳ５１１の処理を行うことなく、ステップＳ５１２に進む。よって、この場合には、図１０（ｂ）に示すように、撮影場所及び撮影日時は表示されることなく、画像Ａ−２のみの表示となる。
【００７８】
しかし、例えばステップＳ５０５で切り替え表示した画像の撮影場所データが例えば「ローマ」であったとすると、今回の表示画像の撮影場所は、既に表示した場所である。したがって、ステップＳ５０７からステップＳ５１０に進み、画像の一部に、前記ステップＳ５０６で取得した地名からなる撮影場所と撮影日時とを表示する。したがって、図１０（ｃ）に示すように、液晶表示部８に表示されている画像Ｂ−１の一部に、「ローマ」からなる撮影場所８３と撮影日時８２が表示されることとなる。また、ステップＳ５１１での処理により、撮影場所「ローマ」がＲＡＭ１５に記憶されることとなる。
【００７９】
そして、再度ステップＳ５０１からの処理が繰り返された際、ステップＳ５０５で切り替え表示された画像の撮影場所が、ステップＳ５１１でＲＡＭ１５に記憶された撮影場所「ローマ」であれば、ステップＳ５０７の判断はＮＯとなる。したがって、ステップＳ５１０及びステップＳ５１１の処理は実行されず、撮影場所及び撮影日時は表示されない。
【００８０】
つまり、図１０に示すように、画像Ａ−１の撮影場所「トロイ」と同一場所で撮影されたものである画像Ａ−２には撮影場所等が付加表示されず、画像Ａ−１の撮影場所「トロイ」とは異なる場所で撮影されたものである画像Ｂ−１には、その撮影場所「ローマ」が付加表示される。
【００８１】
また、画像Ｂ−１の撮影場所「ローマ」と同一場所で撮影されたものである画像Ｂ−２、Ｂ−３、Ｂ−４には撮影場所等が付加表示されず、画像Ｂ−１の撮影場所「ローマ」とは異なる場所で撮影されたものである画像Ｃ−１には、その撮影場所「アテネ」が付加表示される。
【００８２】
また、画像Ｃ−１の撮影場所「アテネ」と同一場所で撮影されたものである画像Ｃ−２、Ｃ−３には撮影場所等が付加表示されず、画像Ｃ−１の撮影場所「アテネ」とは異なる場所で撮影されたものである画像Ｄ−１には、その撮影場所「ベニス」が付加表示される。
【００８３】
また、画像Ｄ−１の撮影場所「ベニス」と同一場所で撮影されたものである画像Ｄ−２、Ｄ−３には撮影場所等が付加表示されず、画像Ｄ−１の撮影場所「ベニス」とは異なる場所で撮影されたものである画像Ｅ−１には、その撮影場所「イスタンブール」が付加表示される。そして、画像Ｅ−１の撮影場所「イスタンブール」と同一場所で撮影されたものである画像Ｅ−２、Ｄ−３、Ｄ−４、Ｄ−５には撮影場所等が付加表示されずに画像のみが表示される。
【００８４】
したがって、本実施の形態によれば、同一の場所で撮影された画像に無用な撮影場所等が付加表示されて画像観賞の妨げになる不都合を防止しつつ、撮影日時から長期間経過した後、撮影した画像を再生して観賞する観賞形態において、表示された撮影場所に基づき再生画像に関連する思い出等の記憶を蘇らせることができる。
【００８５】
なお、本実施の形態においては、撮影場所とともに撮影日時表示させるようにしたが、撮影場所のみを表示させるようにしてもよい。
【００８６】
また、本実施の形態においては、前回の撮影場所と今回の撮影場所とが同一場所で撮影された画像の場合には、撮影場所等が付加表示されず、他方、それらが互いに異なる場所で撮影された画像の場合には、その撮影場所等の名称が付加表示されるようにしているが、図９の処理において、図４０７およびＳ４０７の各処理を追加し、例えば、図１０に示すように、撮影場所等の名称表示のほかに、撮影日時を併せて表示するようにしてもよい。
また、各実施の形態においては、本発明をデジタルカメラに適用するようにしたが、画像再生機能のみを有する再生装置に本発明を適用するようにしてもよい。
【符号の説明】
【００８７】
１    デジタルカメラ
２    光学レンズ
３    撮像素子
４    ＴＧ
５    ユニット回路
６    画像処理回路／ＣＰＵ
７    レンズ駆動回路
８    液晶表示部
９    画像記憶媒体
１０    時計部
１１    操作キー部
１２    メモリー
１３    ＧＰＳモジュール
１４    地図データ記憶部
１５    ＲＡＭ
８１    再生画像
８２    撮影場所
８３    撮影場所
【図１】
2012070435.tif 000003
【図２】
2012070435.tif 000004
【図３】
2012070435.tif 000005
【図４】
2012070435.tif 000006
【図５】
2012070435.tif 000007
【図６】
2012070435.tif 000008
【図７】
2012070435.tif 000009
【図８】
2012070435.tif 000010
【図９】
2012070435.tif 000011
【図１０】
2012070435.tif 000012
【手続補正書】
【提出日】平成24年1月6日(2012.1.6)
【手続補正１】
【補正対象書類名】明細書
【補正対象項目名】０００６
【補正方法】変更
【補正の内容】
【０００６】
前記課題を解決するために請求項１記載の発明に係る画像再生制御装置にあっては、
撮影により取得された画像データと、当該画像データの撮影日時を示す撮影データとを対応して記憶した記憶手段と、
この記憶手段から前記画像データと、これに対応する撮影データとを読み出す読出手段と、
この読出手段により読み出された前記画像データに基づき、画像を表示手段に表示させる画像表示制御手段と、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、
前記判断手段により一定時間以上経過していると判断された場合に、前記次の画像データに基づく画像を表示させた際に、対応する撮影日時データに基づき撮影日を表示させる情報表示制御手段と
を備えることを特徴とする。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項２記載の発明に係る画像再生制御装置にあっては、請求項１記載の画像再生制御装置において、前記情報表示制御手段は、前記表示手段に画像と撮影日時とが表示されている状態において、前記撮影日時をフェードアウトさせるフェードアウト処理手段を備えることを特徴とする。
【手続補正６】
【補正対象書類名】明細書
【補正対象項目名】００１１
【補正方法】変更
【補正の内容】
【００１１】
また、請求項３記載の発明に係る画像再生制御プログラムにあっては、
撮影により取得された画像データと、当該画像データの撮影時における情報を示す撮影データとを対応して記憶した記憶手段を備える画像再生制御装置が有するコンピュータを、
前記記憶手段から前記画像データと、これに対応する撮影データとを読み出す読出手段と、この読出手段により読み出された前記画像データに基づき、画像を表示手段に表示させる画像表示制御手段と、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、前記判断手段により一定時間以上経過していると判断された場合に、前記次の画像データに基づく画像を表示させた際に、対応する撮影日時データに基づき撮影日を表示させる情報表示制御手段と
して機能させることを特徴とする。
【手続補正７】
【補正対象書類名】明細書
【補正対象項目名】００１２
【補正方法】変更
【補正の内容】
【００１２】
また、請求項４記載の発明に係る画像再生制御方法にあっては、
撮影により取得された画像データと、当該画像データの撮影日時を示す撮影データとを対応して記憶した記憶手段を備える画像再生装置の制御方法であって、
前記記憶手段から前記画像データと、これに対応する撮影データとを読み出す読出ステップと、
この読出ステップにより読み出された前記画像データに基づき、画像を表示手段に表示させる画像表示制御ステップと、
前記表示手段に表示させた前記撮影日時と、前記読出ステップにより読み出された次の画像データに対応する撮影日時データに基づき前記表示手段に表示させる撮影日時とを比較して、前記表示させた撮影日時から一定時間以上経過しているか否かを判断する判断ステップと、
前記判断ステップにより一定時間以上経過していると判断された場合に、前記次の画像データに基づく画像を表示させた際に、対応する撮影日時データに基づき撮影日を表示させる情報表示制御ステップと
を含むことを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】特許請求の範囲
【補正対象項目名】全文
【補正方法】変更
【補正の内容】
【特許請求の範囲】
【請求項１】
撮影により取得された画像データと、当該画像データの撮影日時を示す撮影データとを対応して記憶した記憶手段と、
この記憶手段から前記画像データと、これに対応する撮影データとを読み出す読出手段と、
この読出手段により読み出された前記画像データに基づき、画像を表示手段に表示させる画像表示制御手段と、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、
前記判断手段により一定時間以上経過していると判断された場合に、前記次の画像データに基づく画像を表示させた際に、対応する撮影日時データに基づき撮影日を表示させる情報表示制御手段と
を備えることを特徴とする画像再生制御装置。
【請求項２】
前記情報表示制御手段は、前記表示手段に画像と撮影日時とが表示されている状態において、前記撮影日時をフェードアウトさせるフェードアウト処理手段を備えることを特徴とする請求項１記載の画像再生制御装置。
【請求項３】
撮影により取得された画像データと、当該画像データの撮影時における情報を示す撮影データとを対応して記憶した記憶手段を備える画像再生制御装置が有するコンピュータを、
前記記憶手段から前記画像データと、これに対応する撮影データとを読み出す読出手段と、
この読出手段により読み出された前記画像データに基づき、画像を表示手段に表示させる画像表示制御手段と、
前記表示手段に表示させた前記撮影日時と、前記読出手段により読み出された次の画像データに対応する撮影日時データに基づき前記表示手段に表示させる撮影日時とを比較して、前記表示させた撮影日時から一定時間以上経過しているか否かを判断する判断手段と、
前記判断手段により一定時間以上経過していると判断された場合に、前記次の画像データに基づく画像を表示させた際に、対応する撮影日時データに基づき撮影日を表示させる情報表示制御手段と
して機能させることを特徴とする画像再生制御プログラム。
【請求項４】
撮影により取得された画像データと、当該画像データの撮影日時を示す撮影データとを対応して記憶した記憶手段を備える画像再生装置の制御方法であって、
前記記憶手段から前記画像データと、これに対応する撮影データとを読み出す読出ステップと、
この読出ステップにより読み出された前記画像データに基づき、画像を表示手段に表示させる画像表示制御ステップと、
前記表示手段に表示させた前記撮影日時と、前記読出ステップにより読み出された次の画像データに対応する撮影日時データに基づき前記表示手段に表示させる撮影日時とを比較して、前記表示させた撮影日時から一定時間以上経過しているか否かを判断する判断ステップと、
前記判断ステップにより一定時間以上経過していると判断された場合に、前記次の画像データに基づく画像を表示させた際に、対応する撮影日時データに基づき撮影日を表示させる情報表示制御ステップと
を含むことを特徴とする画像再生制御方法。